(57)【特許請求の範囲】
【請求項１】
箱状体からなりその側面に光プラグの脱着口が形成されたケーシングを備え、前記ケーシング内には、発光用データ信号を発光素子用電気信号に変換する発光素子用電気回路部と、この発光素子用電気回路部と接続され前記発光素子用電気信号を光信号に変換し前記光プラグへ出力する発光素子アセンブリと、前記光プラグを介して入力される光信号を受光素子用電気信号に変換する受光素子アセンブリと、この受光素子アセンブリと接続され前記受光素子用電気信号を受光用データ信号に変換し出力する受光素子用電気回路部と、前記発光素子用電気回路部及び前記受光素子用電気回路部が実装された電気回路基板と、前記電気回路基板に配設され受信用データ信号及び発光用データ信号の送受信を行うために外部の電気回路と電気的に接続可能な電気的接続手段とが設けられ、かつ、前記ケーシングの底部には、前記発光素子アセンブリを把持する第１の把持部と前記受光素子アセンブリを把持する第２の把持部とが一体形成されたフェルールホルダが配設された光電変換モジュールであって、前記発光素子アセンブリの縁部には第１の突起部が突設されると共に前記受光素子アセンブリの縁部には第２の突起部が突設され、かつ、前記ケーシングの底部には複数の凹部が形成され、前記第１及び第２の把持部のそれぞれの縁部には前記第１及び第２の突起部にそれぞれ対応する第１及び第２の切欠き部が形成されると共に、前記フェルールホルダの底部側には前記複数の凹部に対応する複数の第３の突起部が突設され、前記第１及び第２の突起部と前記第１及び第２の切欠き部とのそれぞれ対応する嵌合によって前記発光素子アセンブリ及び前記受光素子アセンブリの回転方向を規制すると共に、前記複数の第３の突起部を前記複数の凹部にそれぞれ嵌合することにより前記発光素子アセンブリと前記受光素子アセンブリの各光軸を前記光プラグの光軸とそれぞれ一致させ、かつ、前記フェルールホルダに板状部材の遮蔽部が突出して一体に形成され、前記遮蔽部は前記受光素子用電気回路部を掩蔽するように前記電気回路基板上に配設されたことを特徴とする光電変換モジュール。
【発明の詳細な説明】
【０００１】
【発明の属する技術分野】
本発明は一般には電気信号を光学信号へ、及び光学信号を電気信号へ変換する光電変換モジュールに関し、特に電気ケーブルを光ケーブルへ容易に変換する光電変換モジュールに関する。
【０００２】
【従来の技術】
従来の光電変換モジュールとしては、特開平１０−６８８４８号公報（以下イ号公報と呼ぶ）に「コンピュータ等に接続される電気コネクタと、前記コンピュータ等から送信されたレイザーダイオード（以下ＬＤと略す）用データをＬＤ用電気信号に変換するＬＤ用半導体ＩＣと、前記ＬＤ用電気信号をＬＤ用光学信号に変換するＬＤモジュールと、フォトダイオード（以下ＰＤと略す）用光学信号をＰＤ用電気信号に変換するＰＤモジュールと、前記ＰＤ用電気信号をＰＤ用データに変換するＰＤ用半導体ＩＣと、前記電気コネクタと前記ＬＤ用半導体ＩＣと前記ＰＤ用半導体ＩＣを具備する回路基板と、前記ＰＤ用電気信号を電気的にシールドするシールド手段と、前記回路基板と前記ＬＤモジュールと前記ＰＤモジュールとを収納するカバーと、前記ＬＤ用光信号と前記ＰＤ用光信号とを送受信する光プラグに挿抜可能に嵌合する光コネクタとを有する光ファイバモジュールであって、前記電気コネクタを有する第１の領域と、前記光コネクタを有する第２の領域との間にくびれ部を有していることを特徴とする光ファイバモジュール」が開示されている。
【０００３】
以下にイ号公報に開示の光ファイバモジュールについて、図面を用いて説明する。
【０００４】
図１２はイ号公報に開示の光ファイバモジュールの要部分解斜視図である。
【０００５】
図１２において、３００は光ファイバモジュールの各部品を実装する回路基板（ＰＣＢ）、３０１は回路基板３００の後端に配設されマザーボード（図示せず）との電気信号（シリアルデータ信号）を送受信するための伝送線を接続する電気コネクタ、３０２は回路基板３００の前端に半田付けにより接続され入力される電気信号を光学信号に変換し出力するＬＤ（レーザーダイオード）モジュール、３０３はＬＤモジュール３０２の先端部に形設され光ファイバ（フェルール）が装着されるＬＤモジュール開口部、３０４は電気コネクタ３０１を介して送られてくる電気信号に従ってＬＤモジュール３０２に電気信号を出力し駆動するＬＤドライバ、３０５は入力される光学信号を電流信号に変換し出力するＰＤ（フォトダイオード）モジュール、３０６はＰＤモジュール３０５の先端部に形設され光ファイバ（フェルール）が装着されるＰＤモジュール開口部、３０７はＰＤモジュール３０５より入力される電流信号を電圧信号に変換するとともに増幅しデジタル信号に変換した後電気コネクタ３０１を介して出力するアンプ、３０７ａはＰＤモジュール３０５より入力される電流信号を電圧信号に変換するとともに増幅するトランスインピーダンスアンプ部、３０７ｂはトランスインピーダンスアンプ部３０７ａより出力されるアナログの電圧信号をデジタル信号に変換し出力する波形整形回路部である。
【０００６】
【発明が解決しようとする課題】
しかしながら上記従来の光電変換モジュールでは、以下のような課題を有していた。
【０００７】
（１）光プラグと直接接触し光学的接続を行うための発光素子用フェルールホルダと受光素子用フェルールホルダとを個別にカバー（ケーシング）に位置決めしていたため、発光素子用フェルールホルダと受光素子用フェルールホルダとの光軸間距離や向きを高精度に保つことが困難で、受信感度の低下などの原因となっていた。
【０００８】
（２）従来の光電変換モジュールの発光用フェルールホルダと受信用フェルールホルダとはアルミの切削加工した筐体にシルコニア製のスレーブを圧入して、さらに内径を切削して、寸法精度が高く耐摩耗性に優れたフェルールホルダを実現していたが、材料、加工、組立の面で非常に高価であった。
【０００９】
（３）発光用と受信用のフェルールホルダ個別に設けていたため、発光用フェルールホルダと受信用フェルールホルダの光軸間距離を狭くすることができず、小型化が困難であった。
【００１０】
（４）電気回路基板上に別部材のシールド板を取り付けて、光電変換モジュールの特性改善を行っていたが、部品点数が増加し、組立工数が多く組み立て性に欠けていた。
【００１１】
本発明は上記従来の課題を解決するもので、既存の電気信号伝送システムから受信感度を低下することなく容易に光ファイバーによる光信号伝送を実現し、コンパクトに構成することが可能で、組み立て性や経済性に優れ、かつ信頼性の高い光電変換モジュールを提供することを目的とする。
【００１２】
【課題を解決するための手段】
上記課題を解決するために本発明の光電変換モジュールは、箱状体からなりその側面に光プラグの脱着口が形成されたケーシングを備え、ケーシング内には、発光用データ信号を発光素子用電気信号に変換する発光素子用電気回路部と、この発光素子用電気回路部と接続され発光素子用電気信号を光信号に変換し光プラグへ出力する発光素子アセンブリと、光プラグを介して入力される光信号を受光素子用電気信号に変換する受光素子アセンブリと、この受光素子アセンブリと接続され受光素子用電気信号を受光用データ信号に変換し出力する受光素子用電気回路部と、発光素子用電気回路部及び受光素子用電気回路部が実装された電気回路基板と、電気回路基板に配設され受信用データ信号及び発光用データ信号の送受信を行うために外部の電気回路と電気的に接続可能な電気的接続手段とが設けられ、かつ、ケーシングの底部には、発光素子アセンブリを把持する第１の把持部と受光素子アセンブリを把持する第２の把持部とが一体形成されたフェルールホルダが配設された光電変換モジュールであって、発光素子アセンブリの縁部には第１の突起部が突設されると共に受光素子アセンブリの縁部には第２の突起部が突設され、かつ、ケーシングの底部には複数の凹部が形成され、第１及び第２の把持部のそれぞれの縁部には第１及び第２の突起部にそれぞれ対応する第１及び第２の切欠き部が形成されると共に、フェルールホルダの底部側には複数の凹部に対応する複数の第３の突起部が突設され、第１及び第２の突起部と第１及び第２の切欠き部とのそれぞれ対応する嵌合によって発光素子アセンブリ及び受光素子アセンブリの回転方向を規制すると共に、複数の第３の突起部を複数の凹部にそれぞれ嵌合することにより発光素子アセンブリと受光素子アセンブリの各光軸を光プラグの光軸とそれぞれ一致させ、かつ、フェルールホルダに板状部材の遮蔽部が突出して一体に形成され、遮蔽部は受光素子用電気回路部を掩蔽するように電気回路基板上に配設された構成より成る。
【００１３】
この構成により、既存の電気信号伝送システムから受信感度を低下することなく容易に光ファイバーによる光信号伝送を実現し、コンパクトに構成することが可能で、組み立て性や経済性に優れ、かつ信頼性の高い光電変換モジュールを提供することができる。
【００１４】
【発明の実施の形態】
上記目的を達成するために本発明の請求項１に記載の光電変換モジュールは、箱状体からなりその側面に光プラグの脱着口が形成されたケーシングを備え、ケーシング内には、発光用データ信号を発光素子用電気信号に変換する発光素子用電気回路部と、この発光素子用電気回路部と接続され発光素子用電気信号を光信号に変換し光プラグへ出力する発光素子アセンブリと、光プラグを介して入力される光信号を受光素子用電気信号に変換する受光素子アセンブリと、この受光素子アセンブリと接続され受光素子用電気信号を受光用データ信号に変換し出力する受光素子用電気回路部と、発光素子用電気回路部及び受光素子用電気回路部が実装された電気回路基板と、電気回路基板に配設され受信用データ信号及び発光用データ信号の送受信を行うために外部の電気回路と電気的に接続可能な電気的接続手段とが設けられ、かつ、ケーシングの底部には、発光素子アセンブリを把持する第１の把持部と受光素子アセンブリを把持する第２の把持部とが一体形成されたフェルールホルダが配設された光電変換モジュールであって、発光素子アセンブリの縁部には第１の突起部が突設されると共に受光素子アセンブリの縁部には第２の突起部が突設され、かつ、ケーシングの底部には複数の凹部が形成され、第１及び第２の把持部のそれぞれの縁部には第１及び第２の突起部にそれぞれ対応する第１及び第２の切欠き部が形成されると共に、フェルールホルダの底部側には複数の凹部に対応する複数の第３の突起部が突設され、第１及び第２の突起部と第１及び第２の切欠き部とのそれぞれ対応する嵌合によって発光素子アセンブリ及び受光素子アセンブリの回転方向を規制すると共に、複数の第３の突起部を複数の凹部にそれぞれ嵌合することにより発光素子アセンブリと受光素子アセンブリの各光軸を光プラグの光軸とそれぞれ一致させ、かつ、フェルールホルダに板状部材の遮蔽部が突出して一体に形成され、遮蔽部は受光素子用電気回路部を掩蔽するように電気回路基板上に配設された構成としたものである。
【００１５】
この構成により、以下のような作用が得られる。
【００１６】
（１）ケーシングのフェルールホルダへの取り付けが容易となり、組立性が向上する。
【００１７】
（２）発光素子アセンブリと受光素子アセンブリとの光軸間距離を高精度に保つことが可能となり、高い受信感度を得ることができる。
【００１８】
（３）発光用と受信用のフェルールホルダを一体形成したため、発光素子アセンブリと受光素子アセンブリの光軸間距離を狭くすることが可能となり、小型化が可能となる
【００１９】
（４）発光用と受信用のフェルールホルダを一体形成したため、部品点数が少なく、組立工数が少なく組み立て性が向上する。
【００２０】
（５）フェルールホルダの剛性が向上する。
【００２４】
そして、フェルールホルダの発光素子アセンブリの固定手段は、位置決め用の切欠き部を備え、発光素子アセンブリは、フェルールホルダの発光素子アセンブリの固定手段の位置決め用の切欠き部に嵌合する位置決め用の突起部を備えた構成としたものである。
【００２５】
この構成により、発光素子アセンブリの位置決め用の突起部と発光素子アセンブリの固定手段の位置決め用の切欠き部とが各々嵌合し、発光素子アセンブリの回転方向の位置を規制し、発光素子アセンブリを固定手段に所定の向きに固定させることで、発光素子アセンブリとフェルールホルダとの位置合わせを容易とすることができ、組立時の作業性が向上するという作用が得られる。
【００２９】
そして、フェルールホルダの受光素子アセンブリの固定手段は、受光素子アセンブリの位置決め用の切欠き部を備え、受光素子アセンブリは、フェルールホルダの受光素子アセンブリの固定手段の位置決め用の切欠き部に嵌合する位置決め用の突起部を備えた構成としたものである。
【００３０】
この構成により、発光素子アセンブリの位置決め用の突起部と発光素子アセンブリの固定手段の位置決め用の切欠き部とが各々嵌合し、発光素子アセンブリの回転方向の位置を規制し、発光素子アセンブリを固定手段に所定の向きに固定させることで、発光素子アセンブリとフェルールホルダとの位置合わせを容易とすることができ、組立時の作業性が向上するという作用が得られる。
【００３７】
さらに、ケーシングとの位置決めを行う位置決め手段は、フェルールホルダに突設された円柱状突起部と、ケーシングに形設され円柱状突起部の嵌合する凹部と、を備えた構成としたものである。
【００３８】
この構成により、突起部と凹部とを嵌合させるのみでフェルールホルダがケーシングの所定の位置に固定されるため、位置決め精度が高く、位置決めが容易で、光電変換モジュールの組立が簡略化され、組立作業性が向上するという作用が得られる。
【００５２】
そして、フェルールホルダが板状部材の遮蔽部を備える構成としたものである。
【００５３】
この構成により、板状部材の遮蔽部材をフェルールホルダに半田付けにより容易に接続可能であり、組立が容易となるという作用が得られる。
【００５４】
さらに、光電変換モジュールであって、板状部材の遮蔽部は、受光素子用電気回路の部分を覆うように電気回路基板上に配設されている構成としたものである。
【００５５】
この構成により、電気回路基板の受光素子用電気回路の部分が不要な輻射電磁波から遮蔽されるため、受信時の信号に重畳するノイズが減少し、受信感度が向上するという作用が得られる。
【００５６】
さらに、板状部材の遮蔽部は、フェルールホルダと一体で形成されている構成としたものである。
【００５７】
この構成により、部品点数が削減され、組立工数が減少するため組立作業性が向上するという作用が得られる。
【０１４８】
以下に本発明の一実施の形態について、図面を参照しながら説明する。
【０１４９】
（実施の形態１）
図１は本発明の実施の形態１の光電変換モジュールの分解斜視図であり、図２は二連一体型フェルールホルダ及びキャン一体型ＰＤ並びにキャン一体型ＬＤの分解斜視図である。
【０１５０】
図１及び図２において、１はポリカーボネート等の樹脂を成形して形成され上面に開口部１ａをする略直方体状の箱状体からなるケーシング、１ｂ，１ｃは各々ケーシング１の後部側面の左側及び右側に形設された矩形状の開口部１ａからなる光プラグ脱着口、２は鉄合金等の導電性の材質からなる板を倒コの字状に曲折して形成されケーシング１の下面から左右側面にかけて外面を覆うように配設されたシールド板、２ａ，２ａはシールド板２の左右側面の後端部から後方に向けて延設され外部の電位的にゼロの部材（図示せず）に接触させることによりシールド板２の外部接地を可能とするための接地用爪、３は受光面を光プラグ脱着口１ｃに対向させケーシング１内に配設され入力される受光素子用光信号を受光素子用電気信号に変換する受光素子アセンブリであるキャン一体型フォトダイオード（以下、キャン一体型ＰＤと呼ぶ）、３ａはキャン一体型ＰＤ３の基部をなす略円板形状のキャン一体型ＰＤ３のパッケージ、３ｂはパッケージ３ａの表面に嵌着固定されフォトダイオードチップ（図示せず）を納装するキャン一体型ＰＤ３のキャン、３ｃはパッケージ３ａの縁部に突設されたキャン一体型ＰＤ３の突起部、３ｄはパッケージ３ａの裏面に突設されたキャン一体型ＰＤ３の電極、４は発光面を光プラグ脱着口１ｂに対向させケーシング１内に配設され入力される発光素子用電気信号を光信号に変換する発光素子アセンブリであるキャン一体型レーザーダイオード（以下、キャン一体型ＬＤと呼ぶ）、４ａはキャン一体型ＬＤ４の基部をなす略円板形状のキャン一体型ＬＤ４のパッケージ、４ｂはパッケージ４ａの表面に嵌着固定されレーザーダイオードチップ（図示せず）を納装するキャン一体型ＬＤ４のキャン、４ｃはパッケージ４ａの縁部に突設されたキャン一体型ＬＤ４の突起部、４ｄはパッケージ４ａの裏面に突設されたキャン一体型ＬＤ４の電極、５は鉄やニッケル等の金属粉末を焼結して一体形成されケーシング１内にの中央付近に配設されキャン一体型ＰＤ３及びキャン一体型ＬＤ４をケーシング１内の所定の位置に固定する二連一体型フェルールホルダ、５ａは二連一体型フェルールホルダ５の前部を構成し左右に前後に貫設された一対の開口部（左側開口部５ｇ及び右側開口部５ｈ。図２参照）が形設されており各々の開口部にキャン一体型ＬＤ４及びキャン一体型ＰＤ３を嵌着させ把持するキャン一体型ＬＤ４及びキャン一体型ＰＤ３の固定手段であるキャン把持部、５ｂはキャン把持部５ａの後側面に一体に延設されキャン把持部５ａの右側開口部５ｈと連通する筒状体からなる受信用フェルールホルダ、５ｌは受信用フェルールホルダの中央に貫通して形設された光導波路、５ｃはキャン把持部５ａの後側面に一体に延設されキャン把持部５ａの左側開口部５ｇと連通する筒状体からなる送信用フェルールホルダ、５ｍは送信用フェルールホルダの中央に貫通して形設された光導波路、５ｄ，５ｄ及び５ｅ，５ｅはそれぞれキャン把持部５ａの上面及び下面に左右一対に突設された位置決め用手段である突起部、５ｆはキャン把持部５ａの前面中央部に突設され後述の電気回路基板７の接地面（グランド面）と接触し電気回路基板７の接地面と二連一体型フェルールホルダ５とを同電位とし二連一体型フェルールホルダ５に発生する静電ノイズを抑止し受信感度の低下を防止する接地手段であるとともに電気回路基板７を所定の位置に配設し固定する把持手段である凸部、５ｉ，５ｊはそれぞれ左側開口部５ｇ及び右側開口部５ｈの一縁部に切り欠き形成されキャン一体型ＬＤ４の突起部４ｃ及びキャン一体型ＰＤ３の突起部３ｃが嵌合しキャン一体型ＬＤ４及びキャン一体型ＰＤ３の回転方向の位置を規制し所定の向きに嵌合させる切り欠き部、６ａ，６ａ及び６ｂ，６ｂはそれぞれケーシング１内の光プラグ脱着口１ｂ及び光プラグ脱着口１ｃに対向して配設され光プラグ脱着口１ｂ及び光プラグ脱着口１ｃに挿入される光プラグ（図示せず）と係合することにより光プラグを係止する光プラグ係止手段である光プラグ係止爪、７はケーシング１内の底部に配設され後端部付近にキャン一体型ＰＤ３及びキャン一体型ＬＤ４が電気的に接続され発光用シリアルデータ信号を発光素子用電気信号に変換しキャン一体型ＬＤ４に出力する発光素子用電気回路やキャン一体型ＰＤ３から入力される受光用電気信号を増幅し受光用シリアルデータ信号に変換する受光素子用電気回路等が実装された電気回路基板、７ａ，７ｂは電気回路基板７の上面に形成されキャン一体型ＬＤ４の電極４ｄ及びキャン一体型ＰＤ３の電極３ｄが半田付け等により接続されるランド、８は電気回路基板７の上面後端部付近に左右に一列に複数本配設され外部の電気接続コネクタ（図示せず）と接続することにより電気回路基板７に実装された電気回路を外部の電気回路と接続する電気的接続手段である電気的接続ピン、９はポリカーボネート等の樹脂により板状に形成されケーシング１の開口部１ａに嵌合し開口部１ａの上面を閉蓋する蓋部、１０は蓋部９の上下面の後端部付近に電気的接続ピン８の各々に対応した位置に左右に一列に複数個貫設され電気的接続ピン８が挿通される接続ピン挿通孔、１１は蓋部９の上下面中央付近に貫設されたネジ孔である。
【０１５１】
ケーシング１及び蓋部９は電気回路基板７や二連一体型フェルールホルダ５等の内部部品を把持し保護する。キャン把持部５ａの左右の開口部には、キャン一体型ＰＤ３及びキャン一体型ＬＤ４が嵌着されるが、その際、キャン一体型ＰＤ３の光軸と受信用フェルールホルダ５ｂの光軸とが一致するように位置合わせが行われ、また、キャン一体型ＬＤ４の光軸と送信用フェルールホルダ５ｃの光軸とが一致するように位置合わせが行われる。尚、キャン把持部５ａとキャン一体型ＰＤ３及びキャン一体型ＬＤ４はエポキシ等の接着剤により固定される。
【０１５２】
光プラグ脱着口１ｂ，１ｃに嵌着される光プラグのフェルールに対向する受信用フェルールホルダ５ｂ及び送信用フェルールホルダ５ｃの端面（図示せず）は、光プラグのフェルールの端面と平行に形成されている。また、光導波路５ｌ，５ｍの光軸は、上記光プラグのフェルールに対向する受信用フェルールホルダ５ｂ及び送信用フェルールホルダ５ｃの端面の法線に対し平行となるように形設されている。また、光導波路５ｌ，５ｍは、各々の光軸が一平面内となるように形成されている。
【０１５３】
突起部５ｄ，５ｄ及び／又は突起部５ｅ，５ｅは、蓋部９及び／又はケーシング１に形設された凹部（図示せず）に嵌合し、これらの突起部と凹部は二連一体型フェルールホルダ５を蓋部９及び／又はケーシング１の所定の位置に配設する位置決め用手段をなす。尚、図１では、突起部５ｄ，５ｄ及び／又は突起部５ｅ，５ｅは円柱状に形成されているが、突起部５ｄ，５ｄ及び／又は突起部５ｅ，５ｅは円錐状、多角柱状、多角錐状としてもよい。突起部５ｄ，５ｄ及び／又は突起部５ｅ，５ｅを多角柱状又は多角錐状とすることにより、二連一体型フェルールホルダ５を蓋部９及び／又はケーシング１の所定の位置に安定して取り付けることができる。
【０１５４】
キャン一体型ＰＤ３の突起部３ｃと右側開口部５ｈの切り欠き部５ｊ、キャン一体型ＬＤ４の突起部４ｃと左側開口部５ｇの切り欠き部５ｉ、とが各々嵌合し、キャン一体型ＬＤ４及びキャン一体型ＰＤ３の回転方向の位置を規制し所定の向きに嵌合させることで、キャン一体型ＰＤ３の電極３ｄとランド７ｂ、キャン一体型ＬＤ４の電極４ｄとランド７ａとの位置合わせを容易とすることができる。
【０１５５】
尚、本実施の形態１において、光プラグ脱着口１ｂ及び光プラグ脱着口１ｃに挿入される光プラグ（図示せず）と係合するラッチ手段として、光プラグ係止爪６ａ，６ａ及び光プラグ係止爪６ｂ，６ｂをケーシング１内に配設しているが、光プラグ係止爪６ａ，６ａ及び光プラグ係止爪６ｂ，６ｂは、蓋部９の下部に形設してもよい。また、光プラグ係止爪６ａ，６ａ及び光プラグ係止爪６ｂ，６ｂは、ケーシング１や蓋部９と一体形成してもよいが、別部材により形成しても同様の作用を得ることが可能である。
【０１５６】
電気的接続ピン８としては、Ｄ−ＳＵＢコネクタ，テレホンジャック，イーサネット用コネクタ（ＬＡＮ用のカテゴリー５）等のように、予めピン配列が組みたれられた状態のコネクタ部品を用いてもよい。
【０１５７】
ケーシング１の内部を電磁波の輻射から遮蔽するシールド部材としては、シールド板２を用いているが、シールド部材としてはシールド板２に限られたものではなく、ケーシング１及び／又は蓋部９にニッケル等の導電性物質をメッキ又は塗布して構成するようにしてもよく、また、ケーシング１及び／又は蓋部９を、予め金属等の導電性物質のフィラーを混入した樹脂により形成し、ケーシング１及び／又は蓋部９を導電性としてもよく、同様の作用が得られる。また、シールド部材であるシールド板２は、接地用爪２ａを介して外部の電位的にゼロの部材（図示せず）に接触させることにより電磁波の輻射から遮蔽する作用を得るように構成しているが、シールド部材は電気回路基板７の接地面（グランド面）に接地することにより電磁波の輻射から遮蔽する作用を得るように構成してもよい。
【０１５８】
尚、本実施の形態１においては、光プラグ脱着口１ｂ，１ｃに装着される光プラグと光学的に接続するための光導波路として受信用フェルールホルダ５ｂ及び送信用フェルールホルダ５ｃに貫設された光導波路５ｌ，５ｍの２本としたが、光プラグと光学的に接続するための光導波路は２本に限定されるものではなく、２つ以上の水平面内に左右に複数並べて配設してもよく、また２つ以上の垂直面内に上下に複数並べて配設してもよい。
【０１５９】
また、光プラグと光学的に接続するための各光導波路の間隔を同ピッチとすることで、光プラグとフェルールホルダ（二連一体型フェルールホルダ５等）との接続時の位置決めが容易となる。
【０１６０】
（実施の形態２）
図３は本発明の実施の形態２の光電変換モジュールの分解斜視図である。
【０１６１】
図３において、１はケーシング、１ａは開口部、１ｂ，１ｃは光プラグ脱着口、２はシールド板、２ａは接地用爪、３はキャン一体型ＰＤ、３ａ，４ａはパッケージ、３ｄ，４ｄは電極、４はキャン一体型ＬＤ、６ａ，６ｂは光プラグ係止爪、７は電気回路基板、７ａ，７ｂはランド、８は電気的接続ピン、９は蓋部、１０は接続ピン挿通孔、１１はネジ孔であり、これらは図１と同様のものであるため同一の符号を付して説明を省略する。
【０１６２】
５’は液晶ポリマ等の樹脂材料で一体形成されケーシング１内にの中央付近に配設されキャン一体型ＰＤ３及びキャン一体型ＬＤ４をケーシング１内の所定の位置に固定する二連一体型フェルールホルダ、５ａ’は二連一体型フェルールホルダ５の前部を構成し左右に前後に貫設された一対の開口部（左側開口部５ｇ’及び右側開口部５ｈ’。）が形設されており各々の開口部にキャン一体型ＬＤ４及びキャン一体型ＰＤ３を嵌着させ把持するキャン把持部、５ｂ’はキャン把持部５ａ’の後側面に一体に延設されキャン把持部５ａ’の右側開口部５ｈ’と連通する筒状体からなる受信用フェルールホルダ、５ｃ’はキャン把持部５ａ’の後側面に一体に延設されキャン把持部５ａ’の左側開口部５ｇ’と連通する筒状体からなる送信用フェルールホルダ、５ｄ’，５ｄ’はそれぞれキャン把持部５ａ’の上面に左右一対に突設された突起部である。尚、二連一体型フェルールホルダ５’は、凸部５ｆが形設されていない以外の点については二連一体型フェルールホルダ５と構造的に同一であり、キャン把持部５ａ’の下面には図２と同様、突起部５ｅが形設されている。
【０１６３】
本実施の形態２の光電変換モジュールにおいては、二連一体型フェルールホルダ５’を樹脂により構成することにより、不要複写ノイズの発生が防止され、二連一体型フェルールホルダ５’を接地する必要がなく安定した受信感度を得ることができる。
【０１６４】
（実施の形態３）
図４は本発明の実施の形態３の光電変換モジュールの二連一体型フェルールホルダと電気回路基板との組立体の斜視図である。尚、本実施の形態においては、光電変換モジュールの二連一体型フェルールホルダと電気回路基板との組立体以外の部分については、図１及び図２と同様であるため説明は省略する。
【０１６５】
図４において、３はキャン一体型ＰＤ、３ａ，４ａはパッケージ、３ｄ，４ｄは電極、４はキャン一体型ＬＤ、５は二連一体型フェルールホルダ、５ａはキャン把持部、５ｂは受信用フェルールホルダ、５ｃは送信用フェルールホルダ、５ｄ，５ｅは突起部、７は電気回路基板であり、これらは図１又は図２と同様のものであるため、同一の符号を付して説明を省略する。
【０１６６】
７ｃは電気的接続ピン８（図１参照）を実装するために電気回路基板７の上面前端部付近に複数個穿設された電気的接続ピン差込孔、２０はキャン一体型ＰＤ３から入力される受光用電気信号を増幅し受光用シリアルデータ信号に変換する受光素子用電気回路部分を掩蔽するように電気回路基板７上に配設され二連一体型フェルールホルダ５に電気的に接続し接地された板状部材の接地手段の遮蔽部材である。
【０１６７】
本実施の形態においては、光電変換モジュールの受光素子用電気回路部分を遮蔽部材２０で掩蔽し、受光素子用電気回路部分を不要輻射から遮蔽することで、キャン一体型ＰＤ３から出力されるアナログの受信信号に不要輻射がノイズとして重畳することが防止され、受信感度の低下が抑制される。
【０１６８】
（実施の形態４）
図５は本発明の実施の形態４の光電変換モジュールの蓋部を除いた状態を表す斜視図である。尚、本実施の形態４において、蓋部９は図１と同様のものであるため、説明を省略する。
【０１６９】
１はケーシング、１ａは開口部、１ｂ，１ｃは光プラグ脱着口、２はシールド板、２ａは接地用爪、３はキャン一体型ＰＤ、４ａはパッケージ、４ｄは電極、４はキャン一体型ＬＤ、６ａ，６ｂは光プラグ係止爪、７は電気回路基板、７ａはランド、８は電気的接続ピンでありこれらは図１と同様のものであり、同一の符号を付して説明を省略する。
【０１７０】
５”は鉄やニッケル等の金属粉末を焼結して一体形成されケーシング１内にの中央付近に配設されキャン一体型ＰＤ３及びキャン一体型ＬＤ４をケーシング１内の所定の位置に固定する二連一体型フェルールホルダ、５ａ”は二連一体型フェルールホルダ５”の前部を構成し左右の前後に貫設された一対の開口部が形設されており各々の開口部にキャン一体型ＬＤ４及びキャン一体型ＰＤ３を嵌着させ把持するキャン把持部、５ｂ”はキャン把持部５ａ”の後側面に一体に延設されキャン把持部５ａ”の右側開口部と連通する筒状体からなる受信用フェルールホルダ、５ｃ”はキャン把持部５ａ”の後側面に一体に延設されキャン把持部５ａ”の左側開口部と連通する筒状体からなる送信用フェルールホルダ、５ｄ”，５ｄ”はそれぞれキャン把持部５ａ”の上面及び下面に左右一対に突設された突起部、５ｋはキャン一体型ＰＤ３から入力する電気信号を増幅する回路等の電気回路基板７上に実装された受光素子用電気回路部分を掩蔽するように二連一体型フェルールホルダ５”の前部に突出形成された遮蔽部である。尚、二連一体型フェルールホルダ５”は、凸部５ｆが形設されていない点と前部に遮蔽部５ｋが形設された点以外の点については二連一体型フェルールホルダ５と構造的に同一であり、キャン把持部５ａ”の下面には図２と同様、突起部５ｅが形設されている。
【０１７１】
本実施の形態においては、光電変換モジュールの受光素子用電気回路部分を遮蔽部５ｋで掩蔽し、受光素子用電気回路部分を不要輻射から遮蔽することで、キャン一体型ＰＤ３から出力されるアナログの受信信号に不要輻射がノイズとして重畳することが防止され、受信感度の低下が抑制される。
【０１７２】
更に、遮蔽部５ｋは二連一体型フェルールホルダ５”として一体形成されるため、実施の形態３のように遮蔽部材２０で掩蔽する場合と比べ、部品点数が削減され、光電変換モジュールの組立を簡略化することができる。
【０１７３】
（実施の形態５）
図６は本発明の実施の形態５の光電変換モジュールの斜視図である。
【０１７４】
図６において、１はケーシング、１ａは開口部、１ｂ，１ｃは光プラグ脱着口、２はシールド板、２ａは接地用爪、６ａ，６ｂは光プラグ係止爪、８は電気的接続ピン、９は蓋部、１１はネジ孔であり、これらは図１と同様のものであるため、同一の符号を付して説明を省略する。
【０１７５】
２ｂ，２ｂはシールド板２の左右側面上端に突設された突起部、２ｃ，２ｃはシールド板２の左右側面上端に内側に向かって直角に曲折された鉤状に形設されシールド板２をケーシング１に係止する係止爪である。突起部２ｂ，２ｂはシールド板２の左右側面上端に内側に向かって直角に曲折され更に先端が上方に向かって直角に曲折された形状に形成されており、係止爪２ｃとともにケーシング１の上端に係合し、シールド板２をケーシング１に係止する。
【０１７６】
尚、本実施の形態の光電変換モジュールの上記以外の部分の構造については、図１及び図２と同様であるため、説明は省略する。
【０１７７】
本実施の形態の光電変換モジュールは、外部電気回路の実装された基板等（図示せず）に実装する場合、蓋部９の嵌合された側を基板面等の実装面に向けて装設される。このとき、外部電気回路の実装された基板等に突起部２ｂの嵌合する嵌合穴や係合部等を形設しておくことで、外部電気回路の実装された基板等に光電変換モジュールを実装する際の位置決めを行うことが可能であり、更に、突起部２ｂの外部電気回路の実装された基板等の接地面と接続することでシールド板２を外部に接地することも可能となる。
【０１７８】
（参考の形態１）図７は参考の形態１の光電変換モジュールの分解斜視図である。
【０１７９】
図７において、３１はポリカーボネート等の樹脂を成形して形成され上面に開口部３１ａをする略直方体状の箱状体からなるケーシング、３２は光電変換モジュールに光ファイバを接続するための光プラグ、３２ａは光プラグ３２に接続された光ファイバ、３２ｂは光プラグ３２の先端部に配設されたフェルール、３２ｃはフェルール３２ｂの先端側面に突設された接続部、３２ｄ，３２ｄはフェルール３２ｂの先端に左右一対に配設されネジ孔１１７が光電変換モジュールの所定の位置に接続されるように位置決めを行うガイドピン、３２ｅ，３２ｅはフェルール３２ｂの左右両側面に形設された係止部、３３はケーシング３１の前側面に一体形成され光プラグ３２のフェルール３２ｂと係合する光コネクタ、３３ａは光コネクタ３３の前後側面に貫設されケーシング３１内に連通しフェルール３２ｂが嵌合する光プラグ脱着口、３３ｂ，３３ｂは光プラグ脱着口３３ａの左右両内側面に形設されガイドピン３２ｄ，３２ｄと係合しネジ孔１１７を光プラグ脱着口３３ａ内に係止する光プラグ係止爪、３３ｃは光プラグ脱着口３３ａの下部に形成されフェルール３２ｂの下面に突起状に形設された逆差し防止爪（図示せず）が嵌合する逆差防止溝である。光プラグ脱着口３３ａにフェルール３２ｂが挿入される際、正常な方向に挿入された場合にはフェルール３２ｂの下面に形設された逆差し防止爪（図示せず）が逆差防止溝３３ｃに嵌合し、上下逆差しにした場合には、このフェルール３２ｂに形設された逆差し防止爪が光プラグ脱着口３３ａの上面に引っ掛かり、フェルール３２ｂを光プラグ脱着口３３ａに挿入することができないため、光プラグ脱着口３３ａにフェルール３２ｂを逆差しすることを防止することができる。フェルール３２ｂが光プラグ脱着口３３ａの所定の位置まで挿入されると、光プラグ係止爪３３ｂ，３３ｂがフェルール３２ｂの側面に形設された係止部３２ｅ，３２ｅと係合し、フェルール３２ｂは光コネクタ３３に係止される。
【０１８０】
３４はケーシング３１内に前内側面に対向して配設され液晶ポリマ等の樹脂により略矩形状に形成されたフェルールホルダ、３４ａは光プラグ脱着口３３ａに対向するフェルールホルダ３４の前側面である接続面、３４ｂ，３４ｂは接続面３４ａに左右一対に配設された位置決め穴、３４ｃ，３４ｃは左右の位置決め穴３４ｂ，３４ｂの間の接続面３４ａに左右一対に配設された光導波路入出力部、３５，３５はケーシング３１の底面にフェルールホルダ３４の左右両側面を挟持するように突設された凸部、３５ａ，３５ａは凸部３５，３５の上面から下面にかけて貫設された円筒状の穴である位置決め穴、３６は入力される光信号を電気信号に変換し出力する受光素子アセンブリであるピグテイル型フォトダイオードモジュール（以下、ピグテイル型ＰＤモジュールと呼ぶ）、３７は入力される電気信号を光信号に変換し出力する発光素子アセンブリであるピグテイル型レーザーダイオードモジュール（以下、ピグテイル型ＬＤモジュールと呼ぶ）、３８ａ，３８ｂは前側端部がフェルールホルダ３４内に貫設されそれぞれ右側及び左側の光導波路入出力部３４ｃ，３４ｃとピグテイル型ＰＤモジュール３６，ピグテイル型ＬＤモジュール３７の受光部，発光部とを接続する光ファイバ、３９はケーシング３１内の底部に配設され上面にピグテイル型ＰＤモジュール３６及びピグテイル型ＬＤモジュール３７が搭載されピグテイル型ＰＤモジュール３６から入力する電気信号を増幅する回路や外部から入力される発光用シリアルデータ信号より発光素子用電気信号に変換しピグテイル型ＬＤモジュール３７に出力する発光用電気回路等の電気回路が実装された電気回路基板、４０は電気回路基板３９の後部の上面左右側部付近に前後に一列に複数本配設され外部の電気接続コネクタ（図示せず）と接続することにより電気回路基板３９に実装された電気回路を外部の電気回路と接続する電気的接続手段である電気的接続ピンである。
【０１８１】
ケーシング３１の底部には、係止爪やネジ穴等の電気回路基板３９をケーシング３１の底部に固定する取り付け手段（図示せず）が形設されている。凸部３５，３５はケーシング３１の底部に突設されたピン（図示せず）と嵌合することにより、ケーシング３１の底部の所定の位置に固定される。さらに、フェルールホルダ３４は、ケーシング３１の底部に突設された左右の凸部３５，３５の間に嵌合させることにより、ケーシング３１内の底部の電気回路基板３９の前方に固定される。左右の凸部３５，３５の互いに対向する側面は平行な平面状に形成されており、この２つの側面によりフェルールホルダ３４を挟持することで、フェルールホルダ３４は固定される。フェルールホルダ３４の内部には、光導波路として光ファイバ３８ａと光ファイバ３８ｂとが互いに平行に貫設されており、光ファイバ３８ａと光ファイバ３８ｂとの端面は光導波路入出力部３４ｃ，３４ｃに位置し、接続面３４ａと光ファイバ３８ａと光ファイバ３８ｂとの端面は平行になるように形設されている。尚、光導波路入出力部３４ｃには光ファイバ３８ａ，３８ｂとは別に光ファイバが挿設されている。この光導波路入出力部３４ｃに挿設された光ファイバと光ファイバ３８ａ，３８ｂとの光軸のずれは、光ファイバの伝達ロスを抑えるため、５ｍｍ以内とすることが望ましい。また、位置決め穴３４ｂ，３４ｂは、フェルールホルダ３４に貫設された光ファイバ３８ａ，３８ｂと平行となるように接続面３４ａに穿設されている。フェルール３２ｂが光プラグ脱着口３３ａに挿入されると、左右のガイドピン３２ｄ，３２ｄは、各々、対向する位置決め穴３４ｂ，３４ｂと嵌合する。フェルール３２ｂは接続部３２ｃの端面が接続面３４ａに突き当たるまで挿入され、光プラグ３２の光ファイバ（図示せず）と光導波路入出力部３４ｃ，３４ｃとが工学的に接続される。
【０１８２】
４１はポリカーボネート等の樹脂により板状に形成されケーシング３１の開口部３１ａに嵌合し開口部３１ａの上面を閉蓋する蓋部、４２は蓋部４１の上下面の後部の左右両側部付近に電気的接続ピン４０の各々に対応した位置に前後に一列に複数個貫設され電気的接続ピン４０が挿通される接続ピン挿通孔、４３，４３は蓋部４１の上面に左右一対に突設された位置決め用突起部である。
【０１８３】
蓋部４１を開口部３１ａに嵌合する際、各々の電気的接続ピン４０は接続ピン挿通孔４２に挿通し、位置決め用突起部４３，４３は位置決め穴３５ａ，３５ａに嵌合し位置決めがされ固定される。位置決め用突起部４３，４３は、光電変換モジュールを挿設する外部電気回路基板等に形設された位置決め穴と嵌合し、位置決めと固定に用いられる。
【０１８４】
図８は参考の形態１の光電変換モジュールのフェルールホルダ周辺の要部破断拡大斜視図である。
【０１８５】
図８において、３４はフェルールホルダ、３４ａは接続面、３４ｂは位置決め穴、３４ｃは光導波路入出力部、３５は凸部、３５ａは位置決め穴、３６はピグテイル型ＰＤモジュール、３７はピグテイル型ＬＤモジュール、３８ａは光ファイバ、３９は電気回路基板、４０は電気的接続ピンであり、これらは図７と同様のものであるので同一の符号を付して説明は省略する。
【０１８６】
３１ｂはケーシング３１の内部底面、５０は内部底面３１ｂとフェルールホルダ３４及び内部底面３１ｂと凸部３５，３５との間に挟持された合成ゴム等の薄板状の弾性部材からなる緩衝部材、５１は位置決め穴３５ａの内面に周設された合成ゴム等の薄板状の弾性部材からなる緩衝部材である。
【０１８７】
図８に示すように、内部底面３１ｂとフェルールホルダ３４、内部底面３１ｂと凸部３５，３５との間に緩衝部材５０を挟持し、内部底面３１ｂに突設された位置決め穴３５ａに嵌合する固定ピン（図示せず）と凸部３５との間に緩衝部材５１を挟持し、ケーシング３１に対してフェルールホルダ３４が上下左右に微小距離だけ可動とすることにより、ガイドピン３２ｄ，３２ｄと位置決め穴３４ｂ，３４ｂの公差によるフェルールホルダ３４の位置決め誤差によらず、安定してフェルール３２ｂとフェルールホルダ３４とを光学的に接続することが可能となる。
【０１８８】
また、位置決め穴３４ｂ，３４ｂの開口端は開口端に向かって径が拡開するテーパー状に形成されており、ガイドピン３２ｄ，３２ｄの挿入を容易に行うことができる。
【０１８９】
尚、ピグテイル型ＰＤモジュール３６とピグテイル型ＬＤモジュール３７とを、各々中心軸方向に角度を持たせて配置することにより、光ファイバの伝達ロスを更に削減することができる。
【０１９０】
図９は図７の光電変換モジュールにおいてピグテイル型ＰＤモジュール及びピグテイル型ＬＤモジュールを各々中心軸方向に角度を持たせて配置して構成した場合を示す要部斜視図である。
【０１９１】
図９において、３４はフェルールホルダ、３４ａは接続面、３４ｂは位置決め穴、３４ｃは光導波路入出力部、３５は凸部、３５ａは位置決め穴、３６はピグテイル型ＰＤモジュール、３７はピグテイル型ＬＤモジュール、３８ａ，３８ｂは光ファイバ、３９は電気回路基板、４０は電気的接続ピンであり、これらは図７と同様のものであり、同一の符号を付して説明を省略する。
【０１９２】
図９の例では、ピグテイル型ＰＤモジュール３６の受光面及びピグテイル型ＬＤモジュール３７の発光面は、各々、フェルールホルダ３４の中心軸方向に向かって所定の角度を持たせて放射状に配置されている。このように配置することにより、光ファイバ３８ａ，３８ｂの曲がりを緩やかにすることができ、光ファイバ３８ａ，３８ｂ内におけるロスを減少させることが可能となる。
【０１９３】
尚、参考の形態１においては、光プラグ３２と光学的に接続するための光導波路としてフェルールホルダ３４に貫設された光ファイバは２本としたが、光プラグ３２と光学的に接続するための光導波路は２本に限定されるものではなく、２つ以上の水平面内に左右に複数並べて配設してもよく、２つ以上の垂直面内に上下に複数並べて配設してもよい。
【０１９４】
また、光プラグ３２と光学的に接続するための各光導波路の間隔を同ピッチとすることで、光プラグ３２とフェルールホルダ３４との接続時の位置決めが容易となる。
【０１９５】
図１０は光プラグと光電変換モジュールを接続するための光ファイバ８本を横２列に配設した場合のフェルールホルダの構成例を表す図であり、図１１は光プラグと光電変換モジュールを接続するための光ファイバ５本を縦１列に配設した場合のフェルールホルダの構成例を表す図である。
【０１９６】
図１０及び図１１において、３４はフェルールホルダ、３４ａは接続面、３４ｂは位置決め穴、３４ｃは光導波路入出力部であり、これらは図７又は図８と同様のものであり、同一の符号を付して説明は省略する。
【０１９７】
図１０においては、光導波路入出力部３４ｃは左右の位置決め穴３４ｂ，３４ｂの間に上下に２つの水平面内に左右に並べて配設され、各々の光導波路入出力部３４ｃは、電気回路基板３９上に複数個搭載されたピグテイル型ＰＤモジュール３６やピグテイル型ＬＤモジュール３７に光ファイバにより接続される。
【０１９８】
また、図１１においては、光導波路入出力部３４ｃは左右の位置決め穴３４ｂ，３４ｂの間に１つの垂直面内に上下に並べて配設され、同様に、各々の光導波路入出力部３４ｃは、電気回路基板３９上に複数個搭載されたピグテイル型ＰＤモジュールやピグテイル型ＬＤモジュールに光ファイバにより接続される。
【０１９９】
参考の形態１においては、ケーシング３１を不要電磁波から遮蔽するシールド板は設けていないが、実施の形態１の場合と同様に、ケーシング３１を覆うようにシールド板を設け、光電変換モジュールの外部の接地面又は電気回路基板３９の接地面と導通をとることにより、不要電磁波によるノイズが低減され、受信感度等の性能が向上する。また、その際、図６と同様に、シールド板の一部を、例えば、ピン状に加工し、光電変換モジュールの搭載される外部電気回路（図示せず）等に設けた嵌合穴に挿入することで位置決め及び／又は接地を行うようにしてもよい。
【０２００】
また、ケーシング３１を覆うシールド板を設けるかわりに、ケーシング３１及び／又は蓋部４１にニッケル等の導電性の物質をメッキ又は塗布してもよい。更に、ケーシング３１及び／又は蓋部４１を構成する樹脂に、予め金属等の導電性物質のフィラーを混入する等して、ケーシング３１及び／又は蓋部４１を導電性としてもよい。
【０２０１】
更に、参考の形態１では、電気的接続ピン４０は電気回路基板３９上に挿設された複数のピンにより構成したが、電気的接続ピン４０としては、Ｄ−ＳＵＢコネクタ，テレホンジャック，イーサネット（登録商標）用コネクタ（ＬＡＮ用のカテゴリー５）等のように、予めピン配列が組みたれられた状態のコネクタ部品を用いてもよい。
【０２０２】
【発明の効果】
以上のように本発明の光電変換モジュールによれば、以下のような有利な効果を得ることができる。
【０２０３】
この発明によれば、（１）フェルールホルダへのケーシングの取り付けが容易となり、組立性に優れた光電変換モジュールを提供することができる。
【０２０４】
（２）受信用フェルールホルダと送信用フェルールホルダとの光軸間距離を高精度に保つことが可能となり、高い受信感度を得ることが可能な光電変換モジュールを提供することができる。
【０２０５】
（３）発光用と受信用のフェルールホルダを一体形成したため、発光用フェルールホルダと受信用フェルールホルダの光軸間距離を狭くすることが可能となり、小型化が可能な光電変換モジュールを提供することができる。
【０２０６】
（４）発光用と受信用のフェルールホルダを一体形成したため、部品点数が少なく、組立工数が少なく組み立て性に優れた光電変換モジュールを提供することができる。
【０２０７】
この発明によれば、光電変換モジュールの組立が容易となり、組立作業性に優れた光電変換モジュールを提供することができる。
【０２０８】
この発明によれば、発光素子アセンブリの位置決め用の突起部と発光素子アセンブリの固定手段の位置決め用の切欠き部とが各々嵌合し、発光素子アセンブリの回転方向の位置を規制し、発光素子アセンブリを固定手段に所定の向きに固定させるため、発光素子アセンブリとフェルールホルダとの位置合わせを容易とすることができ、組立時の作業性に優れた光電変換モジュールを提供することができる。
【０２１０】
この発明によれば、受光素子アセンブリの位置決め用の突起部と受光素子アセンブリの固定手段の位置決め用の切欠き部とが各々嵌合し、受光素子アセンブリの回転方向の位置を規制し、受光素子アセンブリを固定手段に所定の向きに固定させるため、受光素子アセンブリとフェルールホルダとの位置合わせを容易とすることができ、組立時の作業性に優れた光電変換モジュールを提供することができる。
【０２１２】
この発明によれば、ケーシングとフェルールホルダとの位置決めが容易となり、光電変換モジュールの組立が簡略化され、組立作業性に優れた光電変換モジュールを提供することができる。
【０２１３】
この発明によれば、突起部と凹部とを嵌合させるのみでフェルールホルダがケーシングの所定の位置に固定されるため、位置決め精度が高く、位置決めが容易で、光電変換モジュールの組立が簡略化され、組立作業性に優れた光電変換モジュールを提供することができる。
【０２１４】
さらに、この発明によれば、フェルールホルダのケーシングに対する安定した取り付けが可能となり、組立作業性に優れた光電変換モジュールを提供することができる。
【０２１６】
また、この発明によれば、フェルールホルダに帯電していた不要輻射ノイズを取り除くことが可能となり、高感度の光電変換モジュールを提供することができる。
【０２１７】
この発明によれば、板状部材の遮蔽部材をフェルールホルダに半田付けにより容易に接続可能であり、組立作業性に優れた光電変換モジュールを提供することができる。
【０２１８】
この発明によれば、電気回路基板の受光素子用電気回路の部分が不要な輻射電磁波から遮蔽されるため、受信時の信号に重畳するノイズが減少し、高感度の光電変換モジュールを提供することができる。
【０２１９】
さらに、この発明によれば、部品点数が削減され、組立工数が減少するため組立作業性に優れた光電変換モジュールを提供することができる。
【図面の簡単な説明】
【図１】  本発明の実施の形態１の光電変換モジュールの分解斜視図
【図２】  二連一体型フェルールホルダ及びキャン一体型ＰＤ並びにキャン一体型ＬＤの分解斜視図
【図３】  本発明の実施の形態２の光電変換モジュールの分解斜視図
【図４】  本発明の実施の形態３の光電変換モジュールの二連一体型フェルールホルダと電気回路基板との組立体の斜視図
【図５】  本発明の実施の形態４の光電変換モジュールの蓋部を除いた状態を表す斜視図
【図６】  本発明の実施の形態５の光電変換モジュールの斜視図
【図７】  参考の形態１の光電変換モジュールの分解斜視図
【図８】  参考の形態１の光電変換モジュールのフェルールホルダ周辺の要部破断拡大斜視図
【図９】  図７の光電変換モジュールにおいてピグテイル型ＰＤモジュール及びピグテイル型ＬＤモジュールを各々中心軸方向に角度を持たせて配置して構成した場合を示す要部斜視図
【図１０】  光プラグと光電変換モジュールを接続するための光ファイバ８本を横２列に配設した場合のフェルールホルダの構成例を表す図
【図１１】  光プラグと光電変換モジュールを接続するための光ファイバ５本を縦１列に配設した場合のフェルールホルダの構成例を表す図
【図１２】  イ号公報に開示の光ファイバモジュールの要部分解斜視図
【符号の説明】
１  ケーシング
１ａ  開口部
１ｂ，１ｃ  光プラグ脱着口
２  シールド板
２ａ  接地用爪
２ｂ  突起部
２ｃ  係止爪
３  キャン一体型ＰＤ
３ａ，４ａ  パッケージ
３ｂ，４ｂ  キャン
３ｃ，４ｃ  突起部
３ｄ，４ｄ  電極
４  キャン一体型ＬＤ
５  二連一体型フェルールホルダ
５ａ，５ａ’，５ａ”  キャン把持部
５ｂ，５ｂ’，５ｂ”  受信用フェルールホルダ
５ｃ，５ｃ’，５ｃ”  送信用フェルールホルダ
５ｄ，５ｄ’，５ｄ”，５ｅ  突起部
５ｆ  凸部
５ｇ，５ｇ’  左側開口部
５ｈ，５ｈ’  右側開口部
５ｉ，５ｊ  切り欠き部
５ｌ，５ｍ  光導波路
５ｋ  遮蔽部
６ａ，６ｂ  光プラグ係止爪
７  電気回路基板
７ａ，７ｂ  ランド
７ｃ  電気的接続ピン差込孔
８  電気的接続ピン
９  蓋部
１０  接続ピン挿通孔
１１  ネジ孔
２０  遮蔽部材
３１  ケーシング
３１ｂ  内部底面
３１ａ  開口部
３２  光プラグ
３２ａ  光ファイバ
３２ｂ  フェルール
３２ｃ  接続部
３２ｄ  ガイドピン
３２ｅ  係止部
３３  光コネクタ
３３ａ  光プラグ脱着口
３３ｂ  光プラグ係止爪
３３ｃ  逆差防止溝
３４  フェルールホルダ
３４ａ  接続面
３４ｂ  位置決め穴
３４ｃ  光導波路入出力部
３５  凸部
３５ａ  位置決め穴
３６  ピグテイル型ＰＤモジュール
３７  ピグテイル型ＬＤモジュール
３８ａ，３８ｂ  光ファイバ
３９  電気回路基板
４０  電気的接続ピン
４１  蓋部
４２  接続ピン挿通孔
４３  位置決め用突起部
５０，５１  緩衝部材
３００  回路基板
３０１  電気コネクタ
３０２  ＬＤモジュール
３０３  ＬＤモジュール開口部
３０４  ＬＤドライバ
３０５  ＰＤモジュール
３０６  ＰＤモジュール開口部
３０７  アンプ
３０７ａ  トランスインピーダンスアンプ部
３０７ｂ  波形整形回路部
【図１】
0004403600.tif 000002
【図２】
0004403600.tif 000003
【図３】
0004403600.tif 000004
【図４】
0004403600.tif 000005
【図５】
0004403600.tif 000006
【図６】
0004403600.tif 000007
【図７】
0004403600.tif 000008
【図８】
0004403600.tif 000009
【図９】
0004403600.tif 000010
【図１０】
0004403600.tif 000011
【図１１】
0004403600.tif 000012
【図１２】
0004403600.tif 000013